(57)【要約】【課題】  本発明は、吹出口にファンガードが容易に取付けられ、かつ、ファンガードの露付を防ぐ空気調和機を提供することを目的とする。【解決手段】  ファンガードは、線材による複数本の縦桟と複数本の横桟とからなるグリル状で前記吹出口を覆い、前記支柱の左右に位置する前記縦桟は前記支柱を中央にして下端で連結部を有するＵ字状の支柱用桟となり、前記支柱用桟は、前記連結部が下方へ延出することで開口部を形成し、前記開口部を前記支柱の軸支部に差し込んで、前記連結部を前記軸支部の背面側に係止させる。また、支柱から支柱用桟までの内寸を７ｍｍ以上１０ｍｍ以下とする。【選択図】  図３
2015059704.tif 000002
【特許請求の範囲】
【請求項１】
筐体内に送風ファンと同送風ファンを支えて送風路を形成するケーシングを備え、前記送風路の風下側が吹出口となり同吹出口には上下風向板を備え、前記ケーシング内には、前記上下風向板を軸支する軸支部を備えた支柱が前記ケーシングの上壁と下壁を連結して設けられ、前記支柱と前記上下風向板の間にファンガードを備えた空気調和機において、
前記支柱の軸支部は前記ケーシングの下壁の延長線上よりも下方に突出し、
前記ファンガードは、線材による複数本の縦桟と複数本の横桟とからなるグリル状で前記吹出口を覆い、前記支柱の左右に位置する前記縦桟は前記支柱を中央にして下端で連結部を有するＵ字状の支柱用桟となり、前記支柱用桟は、前記連結部が下方へ延出することで開口部を形成し、前記開口部を前記支柱の軸支部に差し込んで、前記連結部を前記軸支部の背面側に係止させることを特徴とする空気調和機。
【請求項２】
請求項１に記載の空気調和機において、前記支柱から一方の前記支柱用桟までの内寸を７ｍｍ以上１０ｍｍ以下とすることを特徴とする空気調和機。
【発明の詳細な説明】
【技術分野】
【０００１】
本発明は、送風路にファンガードが設けられた空気調和機に関するものである。
【背景技術】
【０００２】
従来の空気調和機は、例えば、特許文献１に示すように、空気調和機の吸込口から吹出口にいたる送風路に、指が挿入されて送風ファンへ接触することで発生する事故を防止するためにファンガードが設けられているものがある。このファンガードは、線材による複数の縦桟と横桟が交差して指が挿入しない間隔を設けたグリル状に構成されている。
【０００３】
空気調和機の送風路には、吹出口に上下風向板が設けられており、この上下風向板を軸支する軸支部を有する支柱が、送風路の上壁と下壁とを連結して設けられている。軸支部は支柱の中央から上下風向板に向かって突出して形成される。ファンガードは、隣り合った縦桟の間の横桟を切り取って形成した開口部を設け、この開口部を支柱の軸支部に差し込んで支柱の手前側に取り付ける。また、ファンガードの横桟の一部が支柱の軸支部の根元に設けられたフックにより係止される。
【先行技術文献】
【特許文献】
【０００４】
【特許文献１】特許第４６９８３８４号公報
【発明の概要】
【発明が解決しようとする課題】
【０００５】
上記した従来例では、ファンガードの開口部を隣り合った縦桟の間の横桟を切り取って形成したため、支柱とファンガードの開口部の端の縦桟との間隔が狭くなっており、また、ファンガードの横桟の一部が支柱の軸支部の根元に設けられたフックにより係止されることで接触することになる。支柱と支柱の軸支部とファンガードの開口部は送風路内に位置しており、ファンガードと支柱の間が狭く、また一部接触しているためその部分の空気が流れにくい。一方、ファンガードは空気調和機の室内熱交換器で冷却された冷気により冷却されている。支柱の間の空気とファンガードとの間に温度差が生じるため、ファンガードには露が付きやすくなる。ファンガードについた露は室内に吹き出され、空気調和機の使用者に不快感を与えてしまう。
露付を防止するためには、ファンガードの開口部の隣り合った縦桟の間を広げる方法もあるが、その場合は開口部に横桟がないことで、指が挿入しやすくなり、事故防止の目的にそわなくなる。
【０００６】
そこで、本発明は、送風路内に設けられた支柱と、支柱を差し込む開口部を備え支柱の手前に取り付けられるファンガードが送風路内の風の流れを妨げない構造とすることで、ファンガードの露付を防ぐ空気調和機を提供することを目的とする。
【課題を解決するための手段】
【０００７】
上記目的を達成するために、本発明は、筐体内に送風ファンと同送風ファンを支えて送風路を形成するケーシングを備え、送風路の風下側が吹出口となり同吹出口には上下風向板を備え、ケーシング内には、上下風向板を軸支する軸支部を備えた支柱がケーシングの上壁と下壁を連結して設けられ、支柱と上下風向板の間にファンガードを備えた空気調和機において、支柱の軸支部はケーシングの下壁の延長線上よりも下方に突出し、ファンガードは、線材による複数本の縦桟と複数本の横桟とからなるグリル状で吹出口を覆い、支柱の左右に位置する縦桟は支柱を中央にして下端で連結部を有するＵ字状の支柱用桟となり、支柱用桟は、連結部が下方へ延出することで開口部を形成し、開口部を支柱の軸支部に差し込んで、連結部を軸支部の背面側に係止させる。
また、支柱から一方の支柱用桟までの内寸を７ｍｍ以上１０ｍｍ以下とする。
【発明の効果】
【０００８】
本発明の空気調和機は、送風路を形成するケーシングの下壁の延長線上よりも下方へ突出した支柱の軸支部の背面側にファンガードの連結部を係止させることで、ファンガードと支柱が送風路内では接触することがなくなり、支柱に取り付けられるファンガードの露付を防ぐことが可能となる。また、支柱から一方の支柱用桟までの内寸を７ｍｍ以上１０ｍｍ以下にしたことで、支柱に取り付けられるファンガードの露付を防ぐことが可能となる。
【図面の簡単な説明】
【０００９】
【図１】本発明における空気調和機の室内機の正面側斜視図である。
【図２】本発明における空気調和機の室内機の断面図である。
【図３】本発明における空気調和機の室内機の吹出口を示した図である。
【図４】本発明における空気調和機のファンガードを示した図である。
【図５】本発明における空気調和機の支柱とファンガードの係止状態を示した図である。
【図６】本発明における空気調和機の吹出口の底面図である。
【図７】本発明における空気調和機の指の通過と露付結果を示した図である。
【発明を実施するための形態】
【００１０】
本発明に係わる空気調和機は、屋外に設置された室外機（図示なし）と、空調室内に設置される室内機１０とが冷媒配管を介して接続されて冷凍サイクルを構成する。図１は空調室の天井近くの壁面に取り付けられる室内機１０の外観図であり、図２は室内機１０の縦断面図である。室内機１０は、横長の矩形状に形成された筐体１００からなり、筐体１００は背面以外を前面パネル１０１で覆われる。前面パネル１０１の上面と前面には吸込口１０２が設けられ、前面側の底面には吹出口１０３が開口され、吹出口１０３内には吹き出された空気の風向を上下に調整する上下風向板１３１と後述する支柱１４１に軸支される上下風向板（以下ディフューザとする）１３２が備わる。吹出口１０３の右横に人検知センサー１０４があり、人検知センサー１０４の上に表示部１０５が備わる。
前面パネル１０１の前面には前面パネル１０１の左右両端と吹出口１０３の上端から吸込口１０２手前までを覆う吸込パネル１０６が取付けられる。
【００１１】
なお、図１において室内機１０の吸込パネル１０６のある面を前面とし、前面の対面を背面とし、吹出口１０３のある面を底面とし、底面の対面を平面とし、人検知センサー１０４が設けられている側の側面を右側面とし、右側面の対面を左側面として以下説明する。また、内部部品についても同様に説明する。
【００１２】
筐体１００の内部には、図２に示すように筐体１００の長手方向と平行に配置されたクロスフローファン型の送風ファン１０９と送風ファン１０９の周囲を囲む熱交換器１１０ａ、１１０ｂとを備える。また、吸込口１０２と吹出口１０３を結ぶ送風路１０７の送風ファン１０９から吹出口１０３までを形成するケーシング１０８を備える。送風ファン１０９は筐体１００内の右側で図示しないファンモータに軸支される。ファンモータと熱交換器１１０ａ、１１０ｂはケーシング１０８に支持される。ケーシング１０８は、送風ファン１０９に空気を導く背面側のリアガイダ１１１から吹出口１０３の下端までを結ぶ下壁１１６と、送風ファン１０９に空気を導く前面側のスタビライザ１１３から吹出口１０３の上端までを結ぶ上壁１１４とで送風路１０７の一部を形成する。上壁１１４は前方熱交換器１１０ａのドレンパン１１５ａを兼ね、下壁１１６のリアガイダ１１１から背面側に延出する壁が後方熱交換器１１０ｂのドレンパン１１５ｂとなる。なお、上壁１１４は後述する係止爪部２２３を係止する係止孔１１７を有する。
【００１３】
送風ファン１０９と吹出口１０３の間の送風路１０７内には左右風向板１２１が設けられる。左右風向板１２１は図２と図３に示すように送風ファン１０９の軸方向に対し垂直方向に平行に配置された複数の羽根１２２と羽根１２２の前方を軸支する駆動軸１２３とからなる。羽根１２２は下壁１１６に軸支され、駆動軸１２３が左右へ移動することで羽根１２２の前方が移動して、吹出口１０３から吹き出される空気の流れを左右方向に偏向する。駆動軸１２３は吹出口１０３の右横にある図示しないモータで駆動される。
【００１４】
図２に示すように室内機１０は図示しないファンモータにより送風ファン１０９が回転することで吸込口１０２から取り入れられた室内空気を、熱交換器１１０ａ、１１０ｂで冷媒と熱交換して冷気または暖気に換え、左右風向板１２１と上下風向板１３１とディフューザ１３２で風向調整をして吹出口１０３から空調室に吹き出す。
【００１５】
左右風向板１２１の羽根１２２の間には、ケーシング１０８と一体に形成され、上壁１１４と下壁１１６を連結した支柱１４１が設けられている。支柱１４１は送風ファン１０９の軸方向に対し垂直方向に配置され、２か所並列に設けられている。支柱１４１の板厚は約３ｍｍである。支柱１４１は図５に示すディフューザ１３２を軸支する軸支部１４１ａを備え、軸支部１４１ａはケーシング１０８の下壁１１６を吹出口１０３側へ延長させた仮想の延長線１１６ａ上よりも下方に突出する。よって、軸支部１４１ａは送風路１０７から外れた所に位置する。
【００１６】
図２に示すようにケーシング１０８内には、左右風向板１２１の風下側に位置し、吹出口１０３全体を覆うファンガード２００が備えられている。これは、吹出口１０３から指などを挿入して送風ファン１０９に触れることで発生する事故を未然に防止するためのものである。ファンガード２００は、図４に示すように吹出口１０３の長手方向に延設される複数本の横桟２１０（本発明では１０本）と、この横桟２１０と直交して溶接によって固定される吹出口１０３の短手方向に延設される複数本の縦桟２２０（本発明では１２本）によってグリル状に構成されている。横桟２１０と縦桟２２０で形成される隙間は人の指が入らない隙間に調整されている。なお、横桟２１０は直径約１．２ｍｍの線材を用い、縦桟２２０は直径約１．６ｍｍの線材を用いている。
【００１７】
図３および図４に示すように縦桟２２０は左右風向板１２１の羽根１２２の形状に沿わせて途中で折れ曲がる。また、縦桟２２０は下端を最下段の桟２１０ｂに合わせる。縦桟２２０は上端が横桟２１０の最上段の桟２１０ａと合わせられた第１縦桟２２１と、最上段の桟２１０ａから上方へ延出され前面側に２段階に折れ曲がる係止爪部２２３が形成された第２縦桟２２２からなる。第２縦桟２２２は両端の第１縦桟２２１の間に略１つ飛びに配置される。
横桟２１０の右端はそれぞれ背面方向に向かって折れ曲がり端部が補助桟２３０に溶接されている。補助桟２３０は補助桟２３０の中央部分が切り取られ、その切り取られた部分と横桟２１０とで前述した駆動軸１２３が差し込まれる間隙部２３１が形成される。
【００１８】
ファンガード２００は、ケーシング１０８に取り付けた際、支柱１４１と近接する部分に支柱１４１を中央にして、両隣に隣接する２本の縦桟２４１、２４２（以下、近接縦桟と記載）が下端で連結された連結部２４５を有するＵ字状の支柱用桟２４０を有する。支柱用桟２４０は上端部を最上段の桟２１０ａに合わせ、連結部２４５を最下段の桟２１０ｂよりも下方へ突出させている。なお、近接縦桟２４１、２４２の間で最下段の横桟２１０ｂは切り取られている。最下段の横桟２１０ｂより一つ上段の横桟２１０ｃと近接縦桟２４１、２４２と連結部２４５とで開口部２４４が形成される。
【００１９】
次に、ファンガード２００の取付について説明する。ケーシング１０８に左右風向板１２１を取り付けた後、ファンガード２００は取付けられる。初めに、支柱用桟２４０の開口部２４４を支柱１４１の軸支部１４１ａに差し込む。次に連結部２４５を軸支部１４１ａの背面側に係止する。軸支部１４１ａの背面側には図５に示すようにケーシング１０８と軸支部１４１ａの間に隙間１４１ｂがあり、また軸支部１４１ａは後ろに向かって弧状にふくらんでおり、隙間１４１ｂに嵌め込まれた連結部２４５は弧状のふくらみで抑えられ、連結部２４５が収まる。次に、左右風向板１２１の駆動軸１２３をファンガード２００の間隙部２３１に差し込むようにファンガード２００の上端を後方へ移動させる。そして、ファンガード２００の係止爪部２２３をケーシング１０８の上壁１１４の係止孔１１７に下から嵌め込む。さらに、ファンガード２００の右端と左端の第２縦桟２２２の下端には図示しないＳ字状のフックが設けられ、このＳ字状のフックが下壁１１６にねじ止めされ、ファンガード２００が固定される。
【００２０】
次に、図６および図７を基に、本発明の支柱１４１から近接縦桟２４１、２４２いづれかまでの内寸（以下、内寸Ｌと記載）について説明する。
ファンガード２００は指などが送風ファン１０９と接触することを防ぐために、指が通らないようにする必要がある。支柱１４１近傍以外の縦桟、例えば第１縦桟２２１と第２縦桟２２２の間は、横桟２１０が均等に配置されていることから、指が入るおそれはなく、約５０ｍｍの間隔を設けている。しかし、開口部２４４は最下段の横桟２１０ｂが切り取られて連結部２４５が下方へ突出していることから、縦方向に広く開口されているため開口部２４４に指が入らないようにするためには支柱１４１から近接縦桟２４１、２４２いづれかまでの内寸Ｌの大きさが重要となる。
内寸Ｌを１２ｍｍ、１０ｍｍ、７ｍｍ、５ｍｍと変更した時、指が通るか否かを示した表が図７（ａ）である。図７（ａ）に示すように、内寸Ｌが１２ｍｍの場合では、支柱１４１と近接縦桟２４１、２４２との隙間が広いため、指が通過し安全性に問題がある。一方、内寸Ｌが１０ｍｍと７ｍｍと５ｍｍの場合では、支柱１４１と近接縦桟２４１、２４２との隙間が狭いため、指が通過せず安全性を確保できる。
【００２１】
次に内寸Ｌを１０ｍｍ、７ｍｍ、５ｍｍとして、空気調和機が冷房運転をしている時に、近接縦桟２４１、２４２に露が付いたか否かを示した表が図７（ｂ）である。図７（ｂ）に示すように、内寸Ｌが５ｍｍの場合は、近接縦桟２４１、２４２に露が付いているが、内寸Ｌが７ｍｍの場合は、近接縦桟２４１、２４２に付く露は微量となり、内寸Ｌが１０ｍｍの場合は、近接縦桟２４１、２４２に露は付かない。これは、内寸Ｌが大きくなる、つまり、支柱１４１と近接縦桟２４１、２４２との隙間が広くなるにつれて、この隙間に熱交換器１１０ａ、１１０ｂで冷却された調和空気が流れ易くなり、この隙間に流れる空気とファンガード２００との温度差が生じにくくなり、ファンガードに露が付きにくくなる。
るからである。
【００２２】
以上の２つの表より、指が通過せず、ファンガード２００に露が付きにくい条件を満たす内寸Ｌは、７ｍｍ以上１０ｍｍ以下であることが分かる。
【００２３】
以上より、本発明の空気調和機は、送風路１０７を形成するケーシング１０８の延長線１１６ａ上より下方へ突出した支柱１４１の軸支部１４１ａとの背面側にファンガード２００の連結部２４５を係止することで、ファンガード２００と支柱１４１が送風路１０７内では接触することがなくなり、また、支柱１４１から一方の支柱用桟２５０までの内寸を７ｍｍ以上１０ｍｍ以下にしたことにより、ファンガード２００の開口部２４４に指が通らなく、支柱１４１に近接するファンガード２００への露付を防ぐことが可能となる。
【符号の説明】
【００２４】
１０    室内機
１００    筐体
１０１    前面パネル
１０２    吸込口
１０３    吹出口
１０７    送風路
１０８    ケーシング
１２１    左右風向板
１３１    上下風向板
１３２    ディフューザ
１４１    支柱
２００    ファンガード
２１０    横桟
２２０    縦桟
２４０    支柱用桟
２４１、２４２    近接縦桟
２４４    開口部
２４５    連結部
【図１】
2015059704.tif 000003
【図２】
2015059704.tif 000004
【図３】
2015059704.tif 000005
【図４】
2015059704.tif 000006
【図５】
2015059704.tif 000007
【図６】
2015059704.tif 000008
【図７】
2015059704.tif 000009